(57)【特許請求の範囲】
【請求項１】
脱気器容器内に復水を噴出するスプレイノズルであって、
外周部に複数の噴出口が設けられる外筒と、
前記外筒の内部に軸心方向に移動自在に支持されて前記複数の噴出口と連通可能な複数の第１連通孔が設けられる内筒と、
軸部が前記内筒に連結されて前記軸部の先端部に設けられる弁体が前記外筒の先端開口部を開閉可能な開閉弁と、
を有することを特徴とするスプレイノズル。
【請求項２】
前記内筒の先端部に複数の第２連通孔が設けられる仕切板が連結され、前記軸部は、前記内筒の軸心方向に沿って配置されて前記仕切板を貫通して連結されることを特徴とする請求項１に記載のスプレイノズル。
【請求項３】
前記弁体が前記外筒の先端開口部を開放する第１開放位置にあるとき、前記複数の噴出口と前記複数の第１連通孔が連通せず、前記弁体が前記外筒の先端開口部を開放する第２開放位置にあるとき、前記複数の噴出口と前記複数の第１連通孔が連通することを特徴とする請求項１または請求項２に記載のスプレイノズル。
【請求項４】
前記第１連通孔は、前記内筒の軸心方向に沿う長孔であることを特徴とする請求項１から請求項３のいずれか一項に記載のスプレイノズル。
【請求項５】
前記複数の噴出口は、前記外筒の軸心方向に所定間隔を空けて設けられることを特徴とする請求項４に記載のスプレイノズル。
【請求項６】
前記噴出口は、外側に向けて開口面積が大きくなるテーパ形状をなすことを特徴とする請求項１から請求項５のいずれか一項に記載のスプレイノズル。
【請求項７】
前記外筒は、外周部に取付フランジが設けられることを特徴とする請求項１から請求項６のいずれか一項に記載のスプレイノズル。
【請求項８】
中空形状をなして下部に出口部が設けられる容器と、
前記容器の上部に設けられる請求項１から請求項７に記載のスプレイノズルと、
前記容器の下部に加熱蒸気を噴出する加熱蒸気噴出配装置と、
を有することを特徴とする脱気器。
【発明の詳細な説明】
【技術分野】
【０００１】
本発明は、給水から溶存酸素などの不純物を除去する脱気器に使用されるスプレイノズル、このスプレイノズルが使用される脱気器に関するものである。
【背景技術】
【０００２】
例えば、原子力発電プラントでは、原子炉で生成した蒸気をタービン発電機へ送って発電し、使用後の蒸気を復水器で冷却し、復水として原子炉に戻している。この場合、タービンの駆動に使用された蒸気は、復水器で冷却水により冷却されて復水（低圧の飽和液）に戻された後、復水ポンプにより低圧給水加熱器を経て脱気器に供給される。この脱気器は、復水における溶存酸素や不凝結ガスなどの不純物が除去した後、この復水を主給水ポンプにより高圧給水加熱器などにより加熱してから蒸気発生器に戻す。
【０００３】
従来の脱気器として、例えば、バブリング式の脱気器がある。このバブリング式の脱気器は、上部にスプレイノズルが設けられ、このスプレイノズルにより復水を下方に噴出する一方で、貯水部中に加熱蒸気を噴出させることで多数の気泡を形成する。すると、復水と加熱蒸気とが接触することで、復水中の酸素が加熱蒸気に移行し、脱気することができる。このような脱気器としては、例えば、下記特許文献に記載されたものがある。
【先行技術文献】
【特許文献】
【０００４】
【特許文献１】特開平１１−３５１５０７号公報
【特許文献２】特開２００４−１１６９１５号公報
【発明の概要】
【発明が解決しようとする課題】
【０００５】
例えば、原子力発電プラントが大きな発電量を確保するためには、蒸気発生器が生成する蒸気量を増加し、蒸気タービンによる発電機の駆動力を増加させる必要がある。すると、復水器が処理する蒸気量（復水量）が増加し、脱気器が大型化する。脱気器は、上述したように、上部のスプレイノズルから復水を噴出し、この復水と加熱蒸気を接触させることで、復水に溶存する酸素が加熱蒸気に移行して除去される。そのため、脱気器が大型化すると、従来のスプレイノズルでは、大流量域での圧力損失が増加してしまうという問題がある。
【０００６】
本発明は、上述した課題を解決するものであり、噴出流量に拘わらず発生する圧力損失の増加を抑制して性能の向上を図るスプレイノズル及び脱気器を提供することを目的とする。
【課題を解決するための手段】
【０００７】
上記の目的を達成するための本発明のスプレイノズルは、脱気器容器内に復水を噴出するスプレイノズルであって、外周部に複数の噴出口が設けられる外筒と、前記外筒の内部に軸心方向に移動自在に支持されて前記複数の噴出口と連通可能な複数の第１連通孔が設けられる内筒と、軸部が前記内筒に連結されて前記軸部の先端部に設けられる弁体が前記外筒の先端開口部を開閉可能な開閉弁と、を有することを特徴とするものである。
【０００８】
従って、開閉弁が前進し、弁体が外筒の先端開口部を開放すると、外筒の先端部から復水が噴出され、このとき、噴出口と第１連通孔が連通すると、外筒の側部から復水が噴出される。そのため、噴出流量を増加することができ、そのときの噴出流量に拘わらず発生する圧力損失の増加を抑制することで性能を向上することができる。
【０００９】
本発明のスプレイノズルでは、前記内筒の先端部に複数の第２連通孔が設けられる仕切板が連結され、前記軸部は、前記内筒の軸心方向に沿って配置されて前記仕切板を貫通して連結されることを特徴としている。
【００１０】
従って、内筒と開閉弁を仕切板により連結することで、開閉弁と内筒の移動を容易に同期させることができ、第２連通孔により所定量の復水を外筒の先端開口部に供給することができる。
【００１１】
本発明のスプレイノズルでは、前記弁体が前記外筒の先端開口部を開放する第１開放位置にあるとき、前記複数の噴出口と前記複数の第１連通孔が連通せず、前記弁体が前記外筒の先端開口部を開放する第２開放位置にあるとき、前記複数の噴出口と前記複数の第１連通孔が連通することを特徴としている。
【００１２】
従って、外筒の先端開口部からのみ復水を噴出する小流量噴出状態と、外筒の先端開口部と複数の噴出口の両方から復水を噴出する大流量噴出状態とに切り替えることができ、容易に復水の噴出量を調整することができる。
【００１３】
本発明のスプレイノズルでは、前記第１連通孔は、前記内筒の軸心方向に沿う長孔であることを特徴としている。
【００１４】
従って、第１連通孔と噴出口を容易に連通させることができる。
【００１５】
本発明のスプレイノズルでは、前記複数の噴出口は、前記外筒の軸心方向に所定間隔を空けて設けられることを特徴としている。
【００１６】
従って、外筒の先端開口部と複数の噴出口の一部から復水を噴出する中流量噴出状態に切り替えることができ、復水の噴出量を段階的に調整することができる。
【００１７】
本発明のスプレイノズルでは、前記噴出口は、外側に向けて開口面積が大きくなるテーパ形状をなすことを特徴としている。
【００１８】
従って、噴出口から復水を広範囲にわたって噴出することができると共に、このときの噴出抵抗を低減することができる。
【００１９】
本発明のスプレイノズルでは、前記外筒は、外周部に取付フランジが設けられることを特徴としている。
【００２０】
従って、脱気器容器に対して取付フランジを介して外筒を取付けることで、取付作業性を向上することができると共に、容易に取外すことができ、メンテナンス性を向上することができる。
【００２１】
また、本発明の脱気器は、中空形状をなして下部に出口部が設けられる容器と、前記容器の上部に設けられる前記スプレイノズルと、前記容器の下部に加熱蒸気を噴出する加熱蒸気噴出配装置と、を有することを特徴とするものである。
【００２２】
従って、スプレイノズルが容器内に復水を噴出し、加熱蒸気噴出配装置からこの復水に対して加熱蒸気が噴出されると、復水と加熱蒸気が接触することで、復水中の酸素が加熱蒸気に移行し、脱気される。このとき、スプレイノズルは、先端部と側部から復水を噴出するため、噴出流量を増加することができ、そのときの噴出流量に拘わらず発生する圧力損失の増加を抑制することで性能を向上することができる。
【発明の効果】
【００２３】
本発明のスプレイノズル及び脱気器によれば、スプレイノズルが先端部と側部から復水を噴出するので、噴出流量を増加することができ、そのときの噴出流量に拘わらず発生する圧力損失の増加を抑制することで性能を向上することができる。
【図面の簡単な説明】
【００２４】
【図１】図１は、第１実施形態のスプレイノズルが使用された脱気器を表す概略図である。
【図２】図２は、第１実施形態のスプレイノズルの断面図である。
【図３】図３は、外筒を表す斜視図である。
【図４】図４は、内筒を表す斜視図である。
【図５】図５は、小流量復水の噴出時におけるスプレイノズルの断面図である。
【図６】図６は、中流量復水の噴出時におけるスプレイノズルの断面図である。
【図７】図７は、大流量復水の噴出時におけるスプレイノズルの断面図である。
【図８】図８は、スプレイノズルの開度に対する流路面積を表すグラフである。
【図９】図９は、スプレイノズルの開度に対する流速を表すグラフである。
【図１０】図１０は、スプレイノズルの開度に対する圧力損失を表すグラフである。
【図１１】図１１は、第２実施形態のスプレイノズルの断面図である。
【発明を実施するための形態】
【００２５】
以下に添付図面を参照して、本発明に係るスプレイノズル及び脱気器の好適な実施形態を詳細に説明する。なお、この実施形態により本発明が限定されるものではなく、また、実施形態が複数ある場合には、各実施形態を組み合わせて構成するものも含むものである。
【００２６】
［第１実施形態］
例えば、加圧水型原子炉（ＰＷＲ）を有する原子力発電プラントにて、原子炉は、一次冷却水を加熱して高温・高圧の蒸気とし、蒸気発生器に供給する。蒸気発生器は、この蒸気（一次冷却水）により二次冷却水を加熱することで蒸気を生成し、蒸気タービンは、この蒸気により駆動することで発電機が発電を行う。復水器は、蒸気タービンを駆動した蒸気を冷却水（海水）により冷却して復水（低圧の飽和液）に戻した後、復水ポンプにより低圧給水加熱器を経て脱気器に供給する。脱気器は、復水における溶存酸素や不凝結ガスなどの不純物が除去した後、主給水ポンプにより復水を高圧給水加熱器などにより加熱してから蒸気発生器に戻す。
【００２７】
図１は、第１実施形態のスプレイノズルが使用された脱気器を表す概略図である。
【００２８】
第１実施形態において、図１に示すように、脱気器１０は、容器（脱気器容器）１１と、スプレイノズル１２と、加熱蒸気供給装置１３とを有している。
【００２９】
容器１１は、中空形状をなし、横長円筒部における長手方向の両端部が湾曲蓋部により閉塞したものとなっている。この容器１１は、上部に複数（本実施形態では、２個）のスプレイノズル１２が設けられている。このスプレイノズル１２は、蒸気が復水器で冷却されて生成されたて復水を低圧給水加熱器で加熱された後に容器１１内に噴出するものである。スプレイノズル１２は、容器１１の上部であって、容器１１の長手方向の両端部側に配置されており、容器１１内の上方側に復水を噴出する。また、容器１１は、この復水を排出する出口部２１が設けられている。
【００３０】
また、容器１１は、内部の下方に加熱蒸気を噴出する加熱蒸気噴出配装置１３が設けられている。加熱蒸気噴出配装置１３は、加熱蒸気配管２２と、加熱蒸気供給管２３と、加熱蒸気噴出管２４とから構成されている。加熱蒸気配管２２は、容器１１内の上部に容器１１の長手方向に沿って配置されている。加熱蒸気供給管２３は、容器１１の外部からこの容器１１の上部を貫通して加熱蒸気配管２２における長手方向の中間部に連結されている。加熱蒸気噴出管２４は、加熱蒸気配管２２における長手方向の両端部側から下方に向けて延出している。この加熱蒸気噴出管２４は、加熱蒸気配管２２の長手方向に所定間隔を空けて複数設けられており、基端部（上端部）が加熱蒸気配管２２に連結され、先端部（下端部）が容器１１の底部側に延び、複数の噴出口（図示略）が形成されている。
【００３１】
そのため、各スプレイノズル１２は、容器１１内に復水を噴出すると、この容器１１内に所定量の復水が貯留される。加熱蒸気噴出配装置１３は、加熱蒸気を加熱蒸気配管２２から加熱蒸気供給管２３を通して複数の加熱蒸気噴出管２４に供給すると、各加熱蒸気噴出管２４は、下部にある複数の噴出口から復水内に加熱蒸気を噴出する。すると、容器１１内に貯留された復水と噴出口から噴出された加熱蒸気が接触することで、復水に溶存する酸素が加熱蒸気に移行して除去される。
【００３２】
以下、第１実施形態のスプレイノズルについて詳細に説明する。図２は、第１実施形態のスプレイノズルの断面図、図３は、外筒を表す斜視図、図４は、内筒を表す斜視図、図５は、小流量復水の噴出時におけるスプレイノズルの断面図、図６は、中流量復水の噴出時におけるスプレイノズルの断面図、図７は、大流量復水の噴出時におけるスプレイノズルの断面図である。
【００３３】
図２に示すように、容器１１は、管台１１ａにより取付開口部１１ｂが形成されると共に、取付フランジ１１ｃが形成されている。スプレイノズル１２は、外筒３１と、内筒３２と、仕切板３３と、開閉弁３４とから構成されている。このスプレイノズル１２は、容器１１における管台１１ａの取付開口部１１ｂに嵌合し、取付フランジ１１ｃにより取付けられている。
【００３４】
図２から図４に示すように、外筒３１は、円筒形状をなし、基端部（上端部）に外径側に延出するリング形状をなす取付フランジ４１が一体に設けられ、先端部（下端部）に先端開口部４２が形成されている。また、外筒３１は、外周部に複数の噴出口４３，４４が設けられている。複数の噴出口４３は、外筒３１の基端部側に周方向に所定間隔（等間隔）で形成されている。複数の噴出口４４は、外筒３１の先端部側に周方向に所定間隔（等間隔）で形成されている。噴出口４３，４４は、外筒３１の軸心方向に所定間隔で形成されている。この場合、噴出口４３，４４は、軸心方向に対向する格子状に配列したが、周方向にずれた千鳥状に配列してもよい。
【００３５】
内筒３２は、外筒３１と同様に、円筒形状をなし、基端部（上端部）と先端部（下端部）が開放されている。内筒３２は、外径が外筒３１の内径より若干小さい寸法に設定されており、外筒３１の内部で軸心方向に移動自在に支持されている。内筒３２は、複数の噴出口４３，４４と連通可能な複数の第１連通孔４５が設けられている。複数の第１連通孔４５は、内筒３２の軸心方向に沿う長孔であり、周方向に所定間隔（等間隔）で形成されている。この複数の第１連通孔４５は、周方向における位置と数が、噴出口４３，４４の周方向における位置と数に一致している。そして、第１連通孔４５は、幅が噴出口４３，４４の内径とほぼ一致し、長さが噴出口４３と噴出口４４の軸心方向の間隔とほぼ一致している。
【００３６】
仕切板３３は、円板形状をなし、外径が内筒３２の外径と同じ寸法に設定され、外周部が内筒３２の下端部に固定されている。仕切板３３は、第２連通孔４６が周方向に沿って複数設けられている。
【００３７】
開閉弁３４は、軸部４７と、弁体４８とから構成されている。軸部は、外筒１１と内筒３２と仕切板３３の中心位置に軸心方向に沿って配置されており、先端部（下端部）が仕切板３３を貫通して連結されている。また、軸部４７は、先端部が仕切板３３を貫通して弁体４８が連結されている。この弁体４７は、円板形状をなし、外径が外筒３１の内径とほぼ同様の寸法に設定され、先端開口部４２に嵌合し、軸方向に移動することでこの先端開口部４２を開閉可能となっている。なお、開閉弁３４は、軸部４７の基端部（上端部）に図示しない駆動装置が設けられており、軸部４７を介して弁体４８を移動することができる。
【００３８】
そして、開閉弁３４の弁体４８が外筒３１の先端開口部４２に嵌合した閉止位置にあるとき、外筒３１の複数の噴出口４３，４４と内筒３２の複数の第１連通孔４５とは連通しない。この閉止状態から、開閉弁３４の弁体４８が所定距離だけ前進（下降）し、図５に示すように、弁体４８が外筒３１の先端開口部４２を小量だけ開放する第１開放位置にあるとき、外筒３１の複数の噴出口４３，４４と内筒３２の複数の第１連通孔４５とは連通しない。この第１開放状態から、開閉弁３４の弁体４８が所定距離だけ前進し、図６に示すように、弁体４８が外筒３１の先端開口部４２を中量だけ開放する第２開放位置にあるとき、外筒３１の複数の噴出口４３と内筒３２の複数の第１連通孔４５が連通し、複数の噴出口４４と複数の第１連通孔４５とは連通しない。この第２開放状態から、開閉弁３４の弁体４８が所定距離だけ前進し、図７に示すように、弁体４８が外筒３１の先端開口部４２を大量だけ開放する第３開放位置にあるとき、外筒３１の複数の噴出口４３，４４と内筒３２の複数の第１連通孔４５が連通する。
【００３９】
このスプレイノズル１２は、外筒３１の外周部が容器１１における管台１１ａの取付開口部１１ｂに嵌合し、取付フランジ４１が取付フランジ１１ｃに密着する。また、連結配管５１は、取付フランジ５１ａが取付フランジ４１に密着する。容器１１と外筒３１と連結配管５１は、締結ボルト５２により連結される。連結配管５１は、復水供給配管５３が連結されている。この場合、復水が復水供給配管５３から連結配管５１を介してスプレイノズル１２に所定圧力で供給されている。
【００４０】
ここで、第１実施形態のスプレイノズル１２の作用について説明する。
【００４１】
図２に示すように、スプレイノズル１２の停止時、開閉弁３４は作動せず、弁体４８が外筒３１の先端開口部４２を閉止すると共に、内筒３２が外筒３１の複数の噴出口４３，４４を閉止している。図５に示すように、スプレイノズル１２から小流量の復水を噴出するとき、開閉弁３４が作動して軸部４７を介して弁体４８を所定距離だけ前進させる。すると、弁体４８が外筒３１の先端開口部４２を小量だけ開放するが、内筒３２は外筒３１の複数の噴出口４３，４４を閉止したままとなる。そのため、内筒３２内に所定圧力で供給されている復水は、第２連通孔４６を通過して外筒３１の先端開口部４２から小流量だけ噴出される。
【００４２】
図６に示すように、スプレイノズル１２から中流量の復水を噴出するとき、軸部４７を介して弁体４８を更に所定距離だけ前進させる。すると、弁体４８が外筒３１の先端開口部４２を中量だけ開放し、内筒３２の複数の第１連通孔４５が外筒３１の複数の噴出口４３に連通するが、複数の噴出口４４が閉止されたままとなる。そのため、内筒３２内に所定圧力で供給されている復水は、第２連通孔４６を通過して外筒３１の先端開口部４２から中流量だけ噴出されると共に、複数の噴出口４３から噴出される。
【００４３】
図７に示すように、スプレイノズル１２から大流量の復水を噴出するとき、軸部４７を介して弁体４８を更に所定距離だけ前進させる。すると、弁体４８が外筒３１の先端開口部４２を大量に開放し、内筒３２の複数の第１連通孔４５が外筒３１の複数の噴出口４３，４４に連通する。そのため、内筒３２内に所定圧力で供給されている復水は、第２連通孔４６を通過して外筒３１の先端開口部４２から大流量噴出されると共に、複数の噴出口４３，４４から噴出される。
【００４４】
図８は、スプレイノズルの開度に対する流路面積を表すグラフ、図９は、スプレイノズルの開度に対する流速を表すグラフ、図１０は、スプレイノズルの開度に対する圧力損失を表すグラフである。
【００４５】
図８にて、スプレイノズルの開度が大きくなると、従来のスプレイノズルでは、図８に点線で示すように、流路面積が線形に増加するが、第１実施形態のスプレイノズル１２では、図８に実線で示すように、流路面積が非線形に大きく増加することとなる。また、図９にて、スプレイノズルの開度が大きくなると、従来のスプレイノズルでは、図８に点線で示すように、流速が低下するが、第１実施形態のスプレイノズル１２では、図８に実線で示すように、流速がほぼ一定であることとなる。更に、図１０にて、スプレイノズルの開度が大きくなると、従来のスプレイノズルでは、図８に点線で示すように、圧力損失が大きく増加するが、第１実施形態のスプレイノズル１２では、図８に実線で示すように、圧力損失はほぼ変わらない。
【００４６】
このように第１実施形態のスプレイノズルにあっては、外周部に複数の噴出口４３，４４が設けられる外筒３１と、外筒３１の内部に軸心方向に移動自在に支持されて複数の噴出口４３，４４と連通可能な複数の第１連通孔４５が設けられる内筒３２と、軸部４７が内筒３２に連結されて軸部４７の先端部に設けられる弁体４８が外筒３１の先端開口部４２を開閉可能な開閉弁３４とを設けている。
【００４７】
従って、開閉弁３４の弁体４８が前進して外筒３１の先端開口部４２を開放すると、外筒３１の先端部から復水が噴出され、このとき、噴出口４３，４４と第１連通孔４５が連通すると、外筒３１の側部から復水が噴出される。そのため、噴出流量を増加することができ、そのときの噴出流量に拘わらず発生する圧力損失の増加を抑制することで性能を向上することができる。
【００４８】
第１実施形態のスプレイノズルでは、内筒３２の先端部に複数の第２連通孔４５が設けられる仕切板３３を連結し、軸部４７を内筒３２の軸心方向に沿って配置し、仕切板３３を貫通して連結している。従って、内筒３２と開閉弁３４を仕切板３３により連結することで、開閉弁３４と内筒３２の移動を容易に同期させることができ、第２連通孔４５により所定量の復水を外筒の先端開口部４２に供給することができる。
【００４９】
第１実施形態のスプレイノズルでは、弁体４８が外筒３１の先端開口部４２を開放する第１開放位置にあるとき、複数の噴出口４３，４４と複数の第１連通孔４５が連通せず、弁体４８が外筒３１の先端開口部４２を開放する第２、第３開放位置にあるとき、複数の噴出口４３，４４と複数の第１連通孔４５が連通する。従って、外筒３１の先端開口部４２からのみ復水を噴出する小流量噴出状態と、外筒３２の先端開口部４２と複数の噴出口４３，４４の両方から復水を噴出する中流量噴出状態または大流量噴出状態とに切り替えることができ、容易に復水の噴出量を調整することができる。
【００５０】
第１実施形態のスプレイノズルでは、第１連通孔４５を内筒３２の軸心方向に沿う長孔としている。従って、第１連通孔４５と噴出口４３，４４を容易に連通させることができる。
【００５１】
第１実施形態のスプレイノズルでは、複数の噴出口４３，４４を外筒３１の軸心方向に所定間隔を空けて設けている。従って、外筒３１の先端開口部４２と複数の噴出口４３，４４の一部から復水を噴出する中流量噴出状態に切り替えることができ、復水の噴出量を段階的に調整することができる。
【００５２】
第１実施形態のスプレイノズルでは、外筒３１の外周部に取付フランジ４１を設けている。従って、容器１１に対して取付フランジ４１を介して外筒３１を取付けることで、取付作業性を向上することができると共に、容易に取外すことができ、メンテナンス性を向上することができる。
【００５３】
また、第１実施形態の脱気器にあっては、中空形状をなして下部に出口部２１が設けられる容器１１と、容器１１の上部に設けられるスプレイノズル１２と、容器１１の下部に加熱蒸気を噴出する加熱蒸気噴出配装置１３とを設けている。従って、スプレイノズル１２が容器１１内に復水を噴出し、加熱蒸気噴出配装置１３からこの復水に対して加熱蒸気が噴出されると、復水と加熱蒸気が接触することで、復水中の酸素が加熱蒸気に移行し、脱気される。このとき、スプレイノズル１２は、先端部と側部から復水を噴出するため、噴出流量を増加することができ、そのときの噴出流量に拘わらず発生する圧力損失の増加を抑制することで性能を向上することができる。
【００５４】
［第２実施形態］
図１１は、第２実施形態のスプレイノズルの断面図である。なお、上述した実施形態と同様の機能を有する部材には、同一の符号を付して詳細な説明は省略する。
【００５５】
第２実施形態において、図１１に示すように、スプレイノズル６０は、外筒６１と、内筒３２と、仕切板３３と、開閉弁３４とから構成されている。
【００５６】
外筒６１は、円筒形状をなし、先端部（下端部）に先端開口部６２が形成されている。また、外筒６１は、外周部に複数の噴出口６３，６４が設けられている。複数の噴出口６３は、外筒６１の基端部側に周方向に所定間隔（等間隔）で形成されている。複数の噴出口６４は、外筒６１の先端部側に周方向に所定間隔（等間隔）で形成されている。噴出口６３，６４は、外筒３１の軸心方向に所定間隔で形成されている。この複数の噴出口６３，６４は、外側に向けて開口面積が大きくなるテーパ形状をなしている。
【００５７】
なお、内筒３２と仕切板３３と開閉弁３４は、第１実施形態と同様であることから、説明は省略する。
【００５８】
そのため、スプレイノズル１２から復水を噴出するとき、開閉弁３４が作動し、軸部４７を介して弁体４８を所定距離だけ前進させる。すると、弁体４８が外筒６１の先端開口部６２を開放し、内筒３２の複数の第１連通孔４５が外筒６１の複数の噴出口６３，６４に連通する。そのため、内筒３２内に所定圧力で供給されている復水は、第２連通孔４６を通過して外筒６１の先端開口部６２から噴出されると共に、複数の噴出口６３，６４から噴出される。このとき、複数の噴出口６３，６４は、外側に向けて広がるテーパ形状をなしていることから、復水が広範囲にわたって噴出される。
【００５９】
このように第２実施形態のスプレイノズルにあっては、外筒６１に設けられる複数の噴出口６３，６４を外側に向けて開口面積が大きくなるテーパ形状としている。従って、噴出口６３，６４から復水を広範囲にわたって噴出することができると共に、このときの噴出抵抗を低減することができる。
【００６０】
なお、上述した実施形態にて、内筒３２と開閉弁３４の軸部４７を仕切板３３により連結したが、この構成に限定されるものではない。例えば、内筒３２と開閉弁３４を複数の連結ロッドにより連結してもよい。
【００６１】
また、上述した実施形態にて、容器１１に対して長手方向の端部にそれぞれスプレイノズル１２を設けたが、その位置や数に限定されるものではない。
【符号の説明】
【００６２】
１０  脱気器
１１  容器（脱気器容器）
１２，６０  スプレイノズル
１３  加熱蒸気供給装置
２１  出口部
２２  加熱蒸気配管
２３  加熱蒸気供給管
２４  加熱蒸気噴出管
３１，６１  外筒
３２  内筒
３３  仕切板
３４  開閉弁
４１  取付フランジ
４２，６２  先端開口部
４３，４４，６３，６４  噴出口
４５  第１連通孔
４６  第２連通孔
４７  軸部
４８  弁体
５１  連結配管
５２  締結ボルト
５３  復水供給配管
【図１】
0006517044.tif 000002
【図２】
0006517044.tif 000003
【図３】
0006517044.tif 000004
【図４】
0006517044.tif 000005
【図５】
0006517044.tif 000006
【図６】
0006517044.tif 000007
【図７】
0006517044.tif 000008
【図８】
0006517044.tif 000009
【図９】
0006517044.tif 000010
【図１０】
0006517044.tif 000011
【図１１】
0006517044.tif 000012